(57)【要約】【課題】嵌合時に雌端子のバネ部を撓ませず、挿入力を発生させることなく嵌合することが可能なコネクタを得る。【解決手段】雌端子１３を装着する雌ハウジング１５と、雄端子１７を装着する雄ハウジング２１と、嵌合方向に直交する方向から前記雌ハウジング１５に挿入され前記雌端子１３を係止する係止部品２３と、を備えたコネクタ１１であって、前記雌端子１３は、前記雄端子１７に弾接するバネ部３５を形成した第１箱部３３と、前記雄端子１７を前記バネ部３５に向けて付勢する打ち出し部３９を形成した第２箱部２５とからなり、且つ前記バネ部３５と前記打ち出し部３９は離間位置に組み合わされる仮係止状態と、近接位置に組み合わされる本係止状態とに移行可能に設けられる。前記係止部品２３は、仮係止位置に係止されることにより前記雌端子１３を前記雌ハウジング１５に装着可能にするとともに、本係止位置に係止されることにより仮係止状態の前記雌端子１３を本係止状態へ移行させる。【選択図】図１０
2012074191.tif 000002
【特許請求の範囲】
【請求項１】
雌端子が装着される雌ハウジングと、前記雌端子と接続される雄端子が装着されるとともに前記雌ハウジングの前部を受け入れるフード部の形成された雄ハウジングと、コネクタ嵌合方向と直交する方向から前記雌ハウジングに挿入され仮係止位置及び本係止位置に択一的に係合可能に形成され前記雌端子を係止する係止部品と、を備えたコネクタであって、
前記雌端子は、前記雄端子に弾接するバネ部を形成した第１箱部と前記雄端子を前記バネ部に向けて付勢する打ち出し部を形成した第２箱部とからなり、且つ前記バネ部と前記打ち出し部はコネクタ嵌合前にオフセット位置又は離間位置に組み合わされる仮係止状態からコネクタ嵌合時に対向位置又は近接位置に組み合わされる本係止状態へ移行可能に設けられ、
前記係止部品は、仮係止位置に係止されることにより前記仮係止状態の雌端子を前記雌ハウジングに装着可能にするとともに、本係止位置に係止されることにより前記仮係止状態の雌端子を本係止状態へ移行させることを特徴とするコネクタ。
【請求項２】
請求項１記載のコネクタであって、
前記係止部品は、コネクタ嵌合して前記雄端子が前記雌端子に挿入された状態で本係止状態に移行して前記バネ部又は前記打ち出し部を前記雄端子に弾接させることを特徴とするコネクタ。
【請求項３】
請求項１又は請求項２記載のコネクタであって、
前記雄端子は、コネクタ嵌合に際して前記雌端子のバネ部又は打ち出し部のいずれか一方に摺接して挿入されることを特徴とするコネクタ。
【発明の詳細な説明】
【技術分野】
【０００１】
本発明は、雄ハウジングと雌ハウジングの挿入力が低減可能となるコネクタに関する。
【背景技術】
【０００２】
コネクタには、嵌合時に各コンタクトを接触させないようにすることで、抵抗なく嵌合できるようにしたものがある（例えば特許文献１参照）。このコネクタ５０１は、図１４に示すように、フレーム５０３と、フレーム５０３に設けられたインシュレータ５０５と、インシュレータ５０５に紙面に直角な方向に一定のピッチで保持される複数のコンタクト５０７と、フレーム５０３に回転可能に保持されるカム５０９とから構成される。
嵌合相手となるコネクタ５１１は、フレーム５１３と、フレーム５１３に設けられたインシュレータ５１５と、インシュレータ５１５に回転可能に、かつ、各コンタクト５０７のピッチ方向にスライド可能に保持されるフローティングインシュレータ５１７と、インシュレータ５１５及びフローティングインシュレータ５１７に紙面に直角な方向に一定のピッチで保持される複数のフローティングコンタクト５１９とから構成される。
カム５０９が図右半部において９０゜左回転すると、フローティングインシュレータ５１７が軸５２１を中心に右回転することによって、各フローティングコンタクト５１９が各コンタクト５０７にそれぞれ接続する。
【０００３】
これにより、一方のコネクタの各コンタクトのピッチと他方のコネクタの各コンタクトのピッチがずれていても、嵌合時に各コンタクトを接触させないので、両コネクタがスムーズに嵌合できるようになされている。
【先行技術文献】
【特許文献】
【０００４】
【特許文献１】特開２００５−２０３３２３号公報
【発明の概要】
【発明が解決しようとする課題】
【０００５】
しかしながら、上記した従来のコネクタは、コネクタ嵌合時にコンタクト同士が摺動しないため、接触面における酸化膜の除去作用が期待できない。また、フローティングコンタクトを各コンタクトに接続するため、カムなどの別部品を用い新たに備える必要があり、部品点数が増えることになった。
【０００６】
本発明は上記状況に鑑みてなされたもので、その目的は、雄ハウジングと雌ハウジングの嵌合時に雌端子のバネ部を撓ませず、挿入力を発生させることなく嵌合することが可能となるコネクタを提供することにある。また、他の目的は、コンタクトの接触面における酸化膜の除去作用が期待できるコネクタを提供することにある。
【課題を解決するための手段】
【０００７】
本発明に係る上記目的は、下記構成により達成される。
（１）  雌端子が装着される雌ハウジングと、前記雌端子と接続される雄端子が装着されるとともに前記雌ハウジングの前部を受け入れるフード部の形成された雄ハウジングと、コネクタ嵌合方向と直交する方向から前記雌ハウジングに挿入され仮係止位置及び本係止位置に択一的に係合可能に形成され前記雌端子を係止する係止部品と、を備えたコネクタであって、前記雌端子は、前記雄端子に弾接するバネ部を形成した第１箱部と前記雄端子を前記バネ部に向けて付勢する打ち出し部を形成した第２箱部とからなり、且つ前記バネ部と前記打ち出し部はコネクタ嵌合前にオフセット位置又は離間位置に組み合わされる仮係止状態からコネクタ嵌合時に対向位置又は近接位置に組み合わされる本係止状態へ移行可能に設けられ、前記係止部品は、仮係止位置に係止されることにより前記仮係止状態の雌端子を前記雌ハウジングに装着可能にするとともに、本係止位置に係止されることにより前記仮係止状態の雌端子を本係止状態へ移行させることを特徴とするコネクタ。
【０００８】
このコネクタによれば、雄ハウジングと雌ハウジングが未嵌合の状態において、雌端子は、第１箱部と第２箱部が離間位置に組み合わされている。この状態で雄ハウジングと雌ハウジングが嵌合されると、雄ハウジングが雌端子のバネ部に接触する程度でバネ部を撓ませることなく挿入され、雄端子が雌端子からの反力を受けない。また、嵌合状態では、接点接触させる係止部品が二重係止の機能も兼ね、部品点数を増やすことなく、雌端子の二重係止や接触信頼性の向上等、従来コネクタの性能が確保される。
【０００９】
（２）  （１）のコネクタであって、前記係止部品は、コネクタ嵌合して前記雄端子が前記雌端子に挿入された状態で本係止状態に移行して前記バネ部又は前記打ち出し部を前記雄端子に弾接させることを特徴とするコネクタ。
【００１０】
このコネクタによれば、嵌合の後、係止部品が本係止状態に移行されると、雌端子の第２箱部がスライドして係止され、この過程でバネ部又は打ち出し部の表面と、雄端子の表面との酸化膜が除去されるとともに、端子同士が隙間無く弾接した確実な接触状態となる。
【００１１】
（３）  （１）又は（２）のコネクタであって、前記雄端子は、コネクタ嵌合に際して前記雌端子のバネ部又は打ち出し部のいずれか一方に摺接して挿入されることを特徴とするコネクタ。
【００１２】
このコネクタによれば、雄ハウジングと雌ハウジングが嵌合されるに際し、雄端子が雌端子のバネ部又は打ち出し部のいずれか一方に摺接し、この摺接部における表面の酸化膜が除去される。
【発明の効果】
【００１３】
本発明に係るコネクタによれば、雄ハウジングと雌ハウジングの嵌合時に雌端子のバネ部を撓ませないため、挿入力を発生させることなく嵌合することが可能である。
【図面の簡単な説明】
【００１４】
【図１】本発明に係るコネクタの分解斜視図である。
【図２】（ａ）は図１に示したコネクタの嵌合状態の断面図、（ｂ）はその要部拡大図である。
【図３】（ａ）は雌端子の分解斜視図、（ｂ）は第２箱部の側面図、（ｃ）は端子係止突起、仮係止突起溝、及び本係止突起溝の拡大斜視図である。
【図４】（ａ）は第２箱部の斜視図、（ｂ）は第１箱部を斜め上方から見た斜視図、（ｃ）は第１箱部を斜め下方から見た斜視図である。
【図５】（ａ）は雌端子の斜視図、（ｂ）は、（ａ）の側面図、（ｃ）は（ｂ）のＡ−Ａ断面図である。
【図６】（ａ）は雌ハウジングの他方の側面図、（ｂ）は（ａ）の反対側の側面図、（ｃ）は（ｂ）のＢ−Ｂ断面図である。
【図７】係止部品の斜視図である。
【図８】（ａ）は雄ハウジングの他方の側面図、（ｂ）は雄ハウジングの背面図、（ｃ）は（ｂ）のＣ−Ｃ断面図である。
【図９】（ａ）は雌端子、係止部品の装着された雌ハウジングの側面図、（ｂ）はそのＤ−Ｄ断面図、（ｃ）は（ｂ）の要部拡大図である。
【図１０】（ａ）は嵌合状態のコネクタの側面図、（ｂ）はそのＥ−Ｅ断面図、（ｃ）は（ｂ）の要部拡大図である。
【図１１】（ａ）は係止部品の本係止状態の断面図、（ｂ）はその雌端子の拡大図、（ｃ）はそのロックの拡大図である。
【図１２】他の実施の形態に係る雌端子の分解斜視図である。
【図１３】（ａ）は他の実施の形態における係止部品の仮係止状態の要部拡大断面図、（ｂ）は雄ハウジングの嵌合状態の要部拡大断面図、（ｃ）は係止部品の本係止状態の要部拡大断面図である。
【図１４】従来のコネクタの要部断面図である。
【発明を実施するための形態】
【００１５】
以下、本発明の実施の形態を図面を参照して説明する。
図１は本発明に係るコネクタの分解斜視図、図２（ａ）は図１に示したコネクタの嵌合状態の断面図、（ｂ）はその要部拡大図である。
本実施の形態に係るコネクタ１１は、雌端子１３が装着される雌ハウジング１５と、雌端子１３と接続される雄端子１７が装着されるとともに雌ハウジング１５の前部を受け入れるフード部１９の形成された雄ハウジング２１と、コネクタ嵌合方向と直交する方向から雌ハウジング１５に挿入され仮係止位置及び本係止位置に択一的に係合可能に形成され雌端子１３を係止する係止部品２３と、を備える。
【００１６】
図３（ａ）は雌端子１３の分解斜視図、（ｂ）は第２箱部２５の側面図、（ｃ）は端子係止突起２７、仮係止突起溝２９、及び本係止突起溝３１の拡大斜視図、図４（ａ）は第２箱部２５の斜視図、（ｂ）は第１箱部３３を斜め上方から見た斜視図、（ｃ）は第１箱部３３を斜め下方から見た斜視図、図５（ａ）は雌端子１３の斜視図、（ｂ）は、（ａ）の側面図、（ｃ）は（ｂ）のＡ−Ａ断面図である。
雌端子１３は、雄端子１７に弾接するバネ部３５を有し電線３７に圧着して接続される第１箱部３３と、雄端子１７をバネ部３５に向けて付勢する打ち出し部３９を形成した第２箱部２５とからなる。第１箱部３３は、上部に一対の水平片４１、下部に水平底板４３を有し、水平片４１と水平底板４３のそれぞれには第１箱部３３と第２箱部２５の接近離反方向に並ぶ仮係止突起溝２９、本係止突起溝３１が凹設されている。
【００１７】
一方、第２箱部２５は、上部に上板部４５、下部に後部水平片４７を有し、上板部４５の下面前後と、後部水平片４７の上面とのそれぞれには端子係止突起２７が突設されている。端子係止突起２７は、第１箱部３３への接近過程において、仮係止突起溝２９、本係止突起溝３１に順次に係止を移行させる。これにより、バネ部３５と打ち出し部３９は、コネクタ嵌合前にオフセット位置又は離間位置に組み合わされる仮係止状態から、コネクタ嵌合時に対向位置又は近接位置に組み合わされる本係止状態へ移行可能となる。
【００１８】
図６（ａ）は雌ハウジング１５の他方の側面図、（ｂ）は（ａ）の反対側の側面図、（ｃ）は（ｂ）のＢ−Ｂ断面図、図７は係止部品２３の斜視図である。
雌ハウジング１５の上部には片持ち梁状のアームロック部４９が形成される。アームロック部４９は雌ハウジング１５が雄ハウジング２１に嵌合した際、雄ハウジング２１に係止し、嵌合の解除を規制する。
【００１９】
雌ハウジング１５の他方の側面には係止部品挿入部５１が形成される。雌ハウジング１５には複数（本実施の形態では４つ）の雌端子収容室５３が形成され、係止部品挿入部５１はこれら雌端子収容室５３を横断して形成される。係止部品挿入部５１の奥にはストッパ壁５５が形成され、ストッパ壁５５は係止部品２３の挿入を規制する。
【００２０】
係止部品２３には雌端子１３が貫通する端子貫通穴５７が雌端子収容室５３と重なるように形成されている。端子貫通穴５７は、係止部品２３の挿入方向に、雌端子収容室５３よりも拡幅して形成されている。係止部品２３の挿入方向先端側の上下面には、ロック５９が突設される。このロック５９は、係止部品挿入部５１の奥側の上下に突設された仮係止突起６１、本係止突起６３に係止する。これにより、係止部品２３は、仮係止位置に係止されることにより仮係止状態の雌端子１３を雌ハウジング１５に装着可能にするとともに、本係止位置に係止されることにより仮係止状態の雌端子１３を本係止状態へ移行させる。
【００２１】
係止部品２３は、コネクタ嵌合して雄端子１７が雌端子１３に挿入された状態で本係止状態に移行してバネ部３５又は打ち出し部３９を雄端子１７に弾接させる。嵌合の後、係止部品２３が本係止状態に移行されると、雌端子１３の第２箱部２５がスライドして第１箱部３３に係止され、この過程でバネ部３５又は打ち出し部３９の表面と、雄端子１７の表面との酸化膜が除去されるとともに、端子同士が隙間無く弾接した確実な接触状態となる。
【００２２】
雌端子１３の第２箱部２５には図４（ａ）に示す二重係止突起収容部６５が穿設されている。一方、係止部品２３の端子貫通穴５７には図７に示す二重係止突起６７が側部から突出している。二重係止突起６７は、係止部品２３が本係止状態に移行することで、第２箱部２５の二重係止突起収容部６５に嵌合し、雌端子１３を雌ハウジング１５に二重係止するようになっている。
【００２３】
図８（ａ）は雄ハウジング２１の他方の側面図、（ｂ）は雄ハウジング２１の背面図、（ｃ）は（ｂ）のＣ−Ｃ断面図である。
雄ハウジング２１は、フード部１９の先端内面に嵌合ロック部６９を垂設している。この嵌合ロック部６９は、雌ハウジング１５との嵌合時に、雌ハウジング１５のアームロック部４９に係合することで、雌ハウジング１５との嵌合の解除を規制する。なお、嵌合の解除は、アームロック部４９の自由端４９ａ側を、嵌合ロック部６９に対し、離反方向に弾性変位させることにより行われる。
【００２４】
雄ハウジング２１の他方の側面には係止部品操作部７１が穿設されている。係止部品操作部７１は、雄ハウジング２１と雌ハウジング１５が嵌合したとき、雌ハウジング１５の係止部品挿入部５１と一致する。つまり、コネクタ１１の嵌合状態において、係止部品２３は、雄ハウジング２１の係止部品操作部７１から仮係止状態、本係止状態への操作ができるようになっている。
【００２５】
雄ハウジング２１のフード部１９は、内部が雌ハウジング１５の前部を受け入れる嵌合空間部７３となっている。この嵌合空間部７３には不図示の雄端子収容室に装着された雄端子１７の電気接触部となる雄タブ７５が突出する。つまり、嵌合空間部７３に前部が挿入されることで、雄タブ７５が雌ハウジング１５の前面に開口した図１に示す雄タブ受入孔７７から進入して、図２に示すように、雌端子１３に接触する。
【００２６】
雄端子１７は、コネクタ嵌合に際して雌端子１３のバネ部３５又は打ち出し部３９のいずれか一方に摺接して挿入される。雄ハウジング２１と雌ハウジング１５が嵌合されるに際し、雄端子１７が雌端子１３のバネ部３５又は打ち出し部３９のいずれか一方に摺接し、この摺接部における表面の酸化膜が除去されるようになっている。
【００２７】
次に、上記構成を有するコネクタ１１の作用を説明する。
図９（ａ）は雌端子１３、係止部品２３の装着された雌ハウジング１５の側面図、（ｂ）はそのＤ−Ｄ断面図、（ｃ）は（ｂ）の要部拡大図、図１０（ａ）は嵌合状態のコネクタ１１の側面図、（ｂ）はそのＥ−Ｅ断面図、（ｃ）は（ｂ）の要部拡大図、図１１（ａ）は係止部品本係止状態の断面図、（ｂ）はその雌端子１３の拡大図、（ｃ）はそのロック５９の拡大図である。
コネクタ１１を嵌合するには、先ず、雌ハウジング１５において、係止部品２３を仮係止状態とする。雌端子１３を挿入する前の雌ハウジング１５は、雌ハウジング１５に設けた係止部品挿入部５１より挿入された係止部品２３が、雌ハウジング１５に設けた仮係止突起６１を、係止部品２３に設けたロック５９が乗り越えることにより仮係止位置に保持される。この状態で、図９に示すように、仮係止状態の雌端子１３を雌ハウジング１５の各雌端子収容室５３（図６（ｃ）参照）に挿入する。
【００２８】
装着された雌端子１３は、図５に示すように、第２箱部２５に設けた端子係止突起２７が、第１箱部３３に設けた仮係止突起溝２９に収容され、仮係止されている。
【００２９】
次に、図１０に示すように、雌端子１３が挿入された雌ハウジング１５（雌ハウジングアッセンブリー）と雄ハウジング２１を嵌合させる。その際、雌ハウジング１５と雄ハウジング２１は、雄ハウジング２１の嵌合ロック部６９と雌ハウジング１５のアームロック部４９にて保持され、嵌合の解除が規制される。この時、雄ハウジング２１の雄タブ７５は、雌端子１３のバネ部３５に接触しているが、撓まないため、端子同士の挿入力が発生しない。
【００３０】
雄ハウジング２１と雌ハウジング１５の嵌合が完了後、図１１に示すように、雄ハウジング２１に設けた係止部品操作部７１より、係止部品２３を押し込み、係止部品２３のロック５９に雌ハウジング１５の本係止突起６３を乗り越えさせ本係止させると同時に、係止部品２３により図５（ａ）に示した仮係止突起溝２９に収容されていた端子係止突起２７も押され、本係止突起溝３１へ収容され端子が本係止される。この時、雌端子１３の打ち出し部３９が横にスライドしながら雄タブ７５に弾性接触し、摺接することで打ち出し部３９、及び雄タブ表面の酸化膜を除去する。なお、この際、同時に係止部品２３に設けた二重係止突起６７が雌端子１３に設けた二重係止突起収容部６５に収容され、雌端子１３が二重係止される。以上により、コネクタ１１は、雄タブ７５が雌端子１３のバネ部３５を撓める際に生じる反力を受けることなく、すなわち、挿入力を発生させることなく、嵌合することが可能となる。
【００３１】
このように、コネクタ１１では、雄ハウジング２１と雌ハウジング１５が未嵌合の状態において、雌端子１３は、第１箱部３３と第２箱部２５が離間位置に組み合わされ、この状態で雄ハウジング２１と雌ハウジング１５が嵌合されると、雄ハウジング２１が雌端子１３のバネ部３５に接触する程度でバネ部３５を撓ませることなく挿入され、雄端子１７が雌端子１３からの反力を受けない。また、嵌合状態では、接点接触させる係止部品２３が二重係止の機能も兼ね、部品点数を増やすことなく、雌端子１３の二重係止や接触信頼性の向上等、従来コネクタの性能が確保されている。
【００３２】
次に、本発明に係るコネクタ１１の他の実施の形態を説明する。
図１２は他の実施の形態に係る雌端子１３の分解斜視図、図１３（ａ）は他の実施の形態における係止部品仮係止状態の要部拡大断面図、（ｂ）は雄ハウジングの嵌合状態の要部拡大断面図、（ｃ）は係止部品本係止状態の要部拡大断面図である。なお、図１〜図１１に示した部材と同等の部材には同一の符号を付し、重複する説明は省略する。
上記の実施の形態では、雌端子１３の第１箱部３３と第２箱部２５を、図３（ａ）に示す横方向に分割したが、本実施の形態に係るコネクタ１１Ａは、図１２に示すように、雌端子１３Ａの第１箱部３３Ａと第２箱部２５Ａを縦方向に分割する。
【００３３】
電線３７の圧着される第２箱部２５Ａの両側板７９の前後には第１箱部３３Ａと第２箱部２５Ａの接近離反方向に並ぶ仮係止突起溝２９、本係止突起溝３１がそれぞれ凹設されている。バネ部３５の設けられた第１箱部３３Ａの前部両側片８１と後部両側片８３との内側対向面には端子係止突起（図３に示した端子係止突起２７と同じもの）が突設されている。端子係止突起は、第２箱部２５Ａへの接近過程において、仮係止突起溝２９、本係止突起溝３１に順次に係止を移行させる。
【００３４】
本実施の形態に係るコネクタ１１Ａは、基本的な動作としては上記のコネクタ１１と同じであり、図１３（ａ）に示すように、係止部品２３を雌ハウジング１５に仮係止させ、仮係止状態の雌端子１３Ａを雌ハウジング１５に挿入する。その状態にて、図１３（ｂ）に示すように、雄ハウジングと嵌合し、さらに、図１３（ｃ）に示すように、係止部品２３、雌端子１３Ａを本係止させることで電気的接続を行う。
【００３５】
このコネクタ１１Ａでは、雌端子１３Ａを縦方向に分けるので、バネ部３５が上から雄タブ７５に接触し、上記のコネクタ１１よりも、挿入力を低減することができる。なお、この構成においては、雄タブ７５が挿入される際、雄タブ７５が第１箱部３３Ａの打ち出し部３９と接触することにより、双方の酸化膜が除去されることになる。
【００３６】
したがって、上記の実施の形態に係るコネクタ１１，１１Ａによれば、雌端子１３，１３Ａを、バネ部３５を有する第１箱部３３，３３Ａと打ち出し部３９を有する第２箱部２５，２５Ａに分け、雄ハウジング２１、雌ハウジング１５の嵌合後に係止部品２３により本係止するので、雄ハウジング２１と雌ハウジング１５の嵌合時に雌端子１３，１３Ａのバネ部３５を撓ませないため、挿入力を発生させることなく嵌合することが可能である。
【符号の説明】
【００３７】
１１  コネクタ
１３  雌端子
１５  雌ハウジング
１７  雄端子
１９  フード部
２１  雄ハウジング
２３  係止部品
２５  第２箱部
３３  第１箱部
３５  バネ部
３９  打ち出し部
【図１】
2012074191.tif 000003
【図２】
2012074191.tif 000004
【図３】
2012074191.tif 000005
【図４】
2012074191.tif 000006
【図５】
2012074191.tif 000007
【図６】
2012074191.tif 000008
【図７】
2012074191.tif 000009
【図８】
2012074191.tif 000010
【図９】
2012074191.tif 000011
【図１０】
2012074191.tif 000012
【図１１】
2012074191.tif 000013
【図１２】
2012074191.tif 000014
【図１３】
2012074191.tif 000015
【図１４】
2012074191.tif 000016